(57)【要約】  同じモータを用いて、複数のプリンタ機能を駆動する装置及び方法について提供している。その方法は、モータを備える段階と、セレクタピン（１４２）を備える段階と、複数の通路（１１２，１１３，１１４）を有するカム部材（１１１）を有するカム部材アセンブリ（１１０）を備える段階であって、各々の通路はプリンタ機能に対応している、段階と、選択的に、モータが対応するプリンタ機能を駆動するように、複数の通路を通るセレクタピン及びカム部材を相対的に移動させる段階と、を有する。
2011509196.tif 000002
【特許請求の範囲】
【請求項１】
セレクタピン；並びに
複数の通路を有するカム部材であって、各々の通路はプリンタ機能に対応し、前記カム部材及び前記セレクタピンは、前記複数の通路を通って前記セレクタピンの相対移動を与え、前記複数の通路の一における前記セレクタピンの位置は対応する前記プリンタ機能を可能にする、カム部材；
を有するプリンタ。
【請求項２】
請求項１に記載のプリンタであって：
媒体供給ローラ；並びに
前記媒体供給ローラに接続されたモータであって、前記媒体供給ローラは前記モータにより駆動され、前記セレクタピン及びカム部材は前記媒体供給ローラの周りに位置付けられ、前記媒体供給ローラが前記モータにより駆動されるときに、前記カム部材の複数の通路を通る前記セレクタピンの相対移動が得られる、モータ；
を更に有する、プリンタ。
【請求項３】
請求項２に記載のプリンタであって：
クラッチ機構であって、前記セレクタピンは前記クラッチ機構を介して前記媒体供給ローラと関連付けられている、クラッチ機構；
を更に有する、プリンタ。
【請求項４】
請求項２に記載のプリンタであって、前記媒体供給ローラは回転軸を有する、プリンタであり：
前記媒体供給ローラの前記回転軸に対して平行な方向に移動可能なプリントヘッドキャリッジであって、前記カム部材は、前記媒体供給ローラの軸に沿って及び前記プリントヘッドキャリッジと連結可能であるように取り付けられたばねであり、前記プリントヘッドキャリッジの前記カム部材との連結は、セレクタピンの移動を可能にする前記カム部材の中間位置への複数の通路の一から、前記カム部材の複数の通路の他へ、前記セレクタピンを移動させるように、前記媒体供給ローラの回転軸に沿って前記カム部材を移動させる、プリントヘッドキャリッジ；
を更に有する、プリンタ。
【請求項５】
請求項４に記載のプリンタであって、前記カム部材の前記中間位置は、前記セレクタピンについての停止位置を有する、プリンタ。
【請求項６】
請求項４に記載のプリンタであって、前記中間位置は、前記複数の通路の共通部分に位置付けられている、プリンタ。
【請求項７】
請求項１に記載のプリンタであって：
シャフトを有する媒体供給ローラ；及び
該媒体供給ローラの前記シャフトに平行な方向に移動可能なプリントヘッドキャリッジであって、カム部材は、前記媒体供給ローラの前記シャフトに沿って且つ前記プリントヘッドと連結可能であるように位置付けられたばねであり、前記プリントヘッドキャリッジの前記カム部材との連結及び連結解除は、複数の通路の一から前記複数の通路の他へセレクタピンが移動するように、前記カム部材を移動させる、プリントヘッドキャリッジ；
を有する、プリンタ。
【請求項８】
請求項７に記載のプリンタであって、前記媒体供給ローラの前記シャフトに沿って取り付けられた前記カム部材は、（ａ）板ばねの一部であるカム部材、並びに（ｂ）前記媒体供給ローラの前記シャフトに沿って取り付けられた前記カム部材及び圧縮ばねの両方、の一を有する、プリンタ。
【請求項９】
請求項１に記載のプリンタであって、前記複数の通路は３つの通路を有する、プリンタ。
【請求項１０】
請求項１に記載のプリンタであって：
前記セレクタピンに接続されたアームであって、前記複数の通路を通るセレクタピンの移動は、対応するプリンタ機能を可能にするように、前記アームの位置を変える；
プリンタ。
【請求項１１】
同じモータを用いて、複数のプリンタ機能を駆動する方法であって：
モータを備える段階；
セレクタピンを備える段階；
複数の通路を有するカム部材を有するカム部材アセンブリを備える段階であって、各々の通路はプリンタ機能に対応している、段階；及び
前記モータが前記対応するプリンタ機能を選択的に可能にするように、前記複数の通路を通って前記セレクタピンを及び前記カム部材を相対的に移動させる段階；
を有する方法。
【請求項１２】
請求項１１に記載の方法であって、前記モータは第１モータである、方法であり：
プリントヘッドキャリッジを備える段階；及び
前記カム部材アセンブリを連結するように前記プリントヘッドキャリッジを駆動する第２モータを備える段階であって、前記プリントヘッドキャリッジの前記カム部材アセンブリとの連結は、前記セレクタピンの移動を可能にする前記カム部材の中間位置への前記複数の通路の一から、前記カム部材の前記複数の通路の他へ、前記セレクタピンを移動させるように、前記カム部材を移動させる、段階；
を有する、方法。
【請求項１３】
請求項１１に記載の方法であって：
第１ローラ及び第２ローラを備える段階であって、前記複数のプリンタ機能は、前記第２ローラの回転なしに第１方向への前記第１ローラの回転を有する第１プリンタ機能と、前記第１方向への前記第１ローラ及び前記第２ローラの回転を有する第２プリンタ機能と、を有し、前記カム部材及び前記セレクタピンの相対的移動は、前記第１方向と逆の方向への前記第１ローラの回転なしに、前記第１プリンタ機能と前記第２プリンタ機能との間での変化をもたらす、段階；
を更に有する、方法。
【請求項１４】
請求項１１に記載の方法であって、前記２つのプリンタ機能は媒体移動をもたらす、方法。
【発明の詳細な説明】
【技術分野】
【０００１】
本発明は、一般に、インクジェットプリンタに関し、特に、プリンタの複数の動作モードの１つ又はそれ以上の選択的連結を可能にする機械装置であって、各々のモードは同じモータにより駆動される、機械装置に関する。
【背景技術】
【０００２】
インクジェットプリントシステムは、典型的には、１つ又はそれ以上のプリントヘッド及びそれらの対応するインク供給部を有する。各々のプリントヘッドは、インク供給部及び液滴吐出器のアレイに接続されたインクジェットを有し、各々の吐出器は、インクチャンバと、吐出アクチュエータと、インク液滴が吐出されるオリフィスとを有する。吐出アクチュエータは、オリフィスから液滴を飛ばすようにチャンバにおいてインクの一部を気化させるヒータ、又は液滴を吐出させる圧力波を生成するように、チャンバの壁の幾何学的形状を変える圧電装置を含む種々の種類のうちの１つであることが可能である。液滴は、典型的には、プリント媒体がプリントヘッドに関連して移動するために、液滴イジェクタのための点弧電子パルスに変換される画像データに従って画像を生成するように、用紙又は他のプリント媒体（本明細書においては、一般に、ときどき、用紙のことをいう）の方に方向付けられる。
【０００３】
プリントヘッドに関連するプリントヘッドの動きは、プリントヘッドを静止したままに保つことと、液滴が吐出されている間にプリント媒体をプリントヘッドを通って進めることとを有する。このアーキテクチャは、プリントヘッドにおけるノズルがプリント媒体の幅を横断して全体の対象領域にアドレスすることができる場合に、適切である。そのようなプリントヘッドはときどき、ページ幅プリントヘッドと呼ばれている。第２の種類のプリンタアーキテクチャはキャリッジプリンタであり、その場合、プリントヘッドノズルアレイは、プリント媒体におけるプリントのための対象領域の広がりより幾らか小さく、そのプリントヘッドはキャリッジに備えられている。キャリッジプリンタにおいては、プリント媒体は、プリント媒体進行方向に沿って所定の距離だけ進行されて、停止される。プリント媒体が停止している間、プリントヘッドキャリッジは、液滴がノズルから吐出されるために、プリント媒体進行方向に対して略垂直な方向に移動される。キャリッジが、プリント媒体を横断している間に、画像のスワスをプリントした後、プリント媒体は進行され、キャリッジの運動方向は逆にされ、画像がスワス毎に生成される。キャリッジプリンタにおけるプリントのために必要な動きを達成するために、典型的には、少なくとも２つのモータであって、プリント媒体進行のためのモータ及びキャリッジの運動のためのモータが存在する。本明細書で説明する実施例はキャリッジプリンタアーキテクチャに関するものである。
【０００４】
キャリッジプリンタ技術が成熟するにつれて、更なる機能及びより低いコストを提案する必要がある。従来のプリンタにおいては追加の機能を促進するように別個のモータで専用化している一方、追加のモータの要請なしにその機能を提案することは好ましいことである。
【０００５】
従来技術においては、インクジェットプリンタのメンテナンスステーションの種々の機能を動作させるために用紙進行モータの動力を用いることが知られている。例えば、米国特許第６，８４６，０６０号明細書及び米国特許第７，２２５，６９７号明細書において、キャリッジがメンテナンスステーションにあるかどうかに依存して、選択的に連結される又は連結を外される動力伝達機構について開示されている。キャリッジがメンテナンスステーションにある場合、キャリッジにおけるフィーチャは、動力伝達機構が連結されることを可能にする。この方法により、ワイピング及びカッピングを含むメンテナンスステーション機能は、用紙進行モータにより動力供給されることが可能である。キャリッジがメンテナンスステーションから離れるように移動するとき、キャリッジにおけるフィーチャは、動力伝達部がメンテナンスステーションのために連結されることはもはや可能でなく、それ故、用紙進行モータは、プリンタの中を通って用紙を移動させるために用いられる。
【０００６】
プリントの一部のモードのためには、異なる時間に又は異なる方向に異なる用紙進行ローラを動作させる必要がある。そのような場合、キャリッジ及びプリントヘッドがメンテナンスステーションにあるときにのみ連結を可能にする、米国特許第６，８４６，０６０号明細書及び米国特許第７，２２５，６９７号明細書における機構のような機構は十分でない。
【先行技術文献】
【特許文献】
【０００７】
【特許文献１】米国特許第６，８４６，０６０号明細書
【特許文献２】米国特許第７，２２５，６９７号明細書
【発明の概要】
【発明が解決しようとする課題】
【０００８】
それ故、キャリッジが移動して離れた後でさえ、異なる選択位置で動作することが可能であり、単独のモータにより選択的に駆動される複数の機能の１つ又はそれ以上を選択的に連結することができるセレクタ機構についての要請が存在している。
【課題を解決するための手段】
【０００９】
本発明の一特徴に従って、プリンタは、セレクタピン及びカム部材を有する。カム部材は、プリンタ機能に対応する各々の通路を有する複数の通路を有する。カム部材及びセレクタピンは、対応するプリンタ機能を可能にする複数の通路の一においてセレクタピンの一を有する複数の通路を通るセレクタピンのそれぞれの運動を提供する。
【００１０】
本発明の他の特徴に従って、同じモータを用いて複数のプリンタ機能を駆動する方法であって、セレクタピンを備える段階と、複数の通路を有するカム部材を有するカム部材アセンブリを備える段階であって、各々の通路はプリンタ機能に対応している、段階と、選択的に、モータが対応するプリンタ機能を駆動するようにする複数の通路を通ってカム部材及びセレクタピンをそれぞれ動かす段階とを有する、方法を提供する。
【００１１】
下で提示する本発明の好適な実施形態の詳述においては、添付図を参照する。
【図面の簡単な説明】
【００１２】
【図１】本発明の実施形態を有するプリンタの斜視図である。
【図２】プリンタの中を通って進行される用紙を示す模式図である。
【図３】本発明のセレクタアセンブリの実施形態の平面図である。
【図４】本発明のセレクタアセンブリの実施形態の斜視図である。
【図５】デスキューモードで進行される用紙を示す模式図である。
【図６】プリンタの中を通って進行される用紙を示す模式図である。
【図７】プリント位置にあるフォト用紙トレイを示す模式図である。
【図８】カム部材アセンブリの第２の実施形態の斜視図である。
【発明を実施するための形態】
【００１３】
以下、本発明に従った装置の一部を構成する又はその装置とより密接に協働する要素について特に説明する。具体的に図示していない又は説明していない要素は、当業者が知っている種々の形態をとることが可能であることが理解される必要がある。
【００１４】
以下の好適な実施形態についての説明においては、前、後、左、右、上、下等の方向を表す用語は、構成要素が詳述される実施例における通常の動作位置に位置しているときに、その構成要素の方位に対して、又は説明されている図の方位に関して用いられている。本発明の実施形態の構成要素は、複数の異なる方位において位置付けられることが可能であるため、方位を表す用語は例示目的で用いられるものであり、決して限定的なものではない。
【００１５】
図１は、本発明の実施形態を有するキャリッジプリンタの一部を示している。プリンタ筐体３００はプリント領域３０３を有し、そのプリント領域において、プリント中にプリンタ筐体３００の右側（紙面における）３０６と左側３０７との間でキャリッジが前後に移動する。キャリッジモータ３８０は、キャリッジガイドレール３８２に沿って前後にキャリッジ２００を移動させるように、ベルト３８４を移動させる。プリントヘッドシャーシ２５０はキャリッジ内に備えられ、インク供給部２６２及び２６４がプリントヘッドシャーシ２５０に備えられている。用紙又は他のプリント媒体は、プリンタ筐体３００の正面３０８の方への用紙載置進入方向３０２に沿って載置される。図２の側面図に模式的に示されているように、プリンタの中を通って媒体が進むように種々のローラが用いられる。
【００１６】
図２においては、ピックアップローラ３２０が、矢印３０２方向に用紙又は他の媒体のスタック３７０の最上部シート３７１を移動させる。プリンタ筐体３００の背面３０９の方のターンローラ３２２は、用紙がプリンタの背面３０９から矢印３０４の方向に沿って進み続けるように、Ｃ字形状の経路（曲面化背壁面と連携して）に沿って用紙を移動させる役割を果たす。用紙は、その場合、印刷される用紙が方向３０４に沿って出るように、プリント領域３０３を横断して、そしてそのプリント領域から排紙ローラ及びスターホイール３２５の方に進むように、給紙ローラ３１２及びアイドラローラ３２３により移動される。給紙ローラ３１２は、その給紙ローラの軸に沿って給紙ローラシャフト３１９を有し、給紙ローラギア３１１が給紙ローラシャフト３１９に備えられている。給紙ローラ３１２は、給紙ローラシャフト３１９に備えられた別個のローラを有することが可能であり、又は給紙ローラシャフト３１９において薄い高摩擦コーティングを有することが可能である。
【００１７】
図１を再び参照するに、セレクタアセンブリ１００は、給紙ローラシャフト３１９と連携して備えられ、給紙ローラギア３１１に近接している。複数の用紙進行ローラに動力供給するモータ３９４が、図１に模式的に示されている。プリンタ筐体３００の右側（紙面における）３０６の孔３１０は、モータギア（図示せず）が給紙ローラギア３１１、及び排紙ローラ（図示せず）のためのギアと噛み合わされるようにその孔を通って突き出るところである。通常の排紙及び給紙のために、全てのローラは順方向３１３に回転することが好ましい。図１の実施例における紙面左側３０７の方に（及び、給紙ローラギア３１１が備えられた端部の反対側の給紙ローラ３１２の端部近傍に）、メンテナンスステーション３３０がある。この実施例におけるプリンタの背面３０９の方に、エレクトロニクスボード３９０が位置付けられ、そのエレクトロニクスボードは、プリントヘッドキャリッジ２００にケーブルを介して、及びそのプリントヘッドキャリッジからプリントヘッドに、通信するためのケーブルコネクタ３９２を有する。また、そのエレクトロニクスボードには典型的には、キャリッジモータ３８０及び用紙進行モータのためのモータ制御器と、プリント処理を制御するプロセッサ及び／又は他の制御エレクトロニクスと、ホストコンピュータへのケーブルのためのオプションのコネクタと、が備えられている。
【００１８】
図３は、本発明のセレクタアセンブリ１００の第１実施形態の透視図である。セレクタアセンブリ１００は、この実施形態においては、給紙ローラシャフト３１９において各々同軸的に備えられたカム部材アセンブリ１１０と、ばね１３０と、セレクタピンアセンブリ１４０と、を有する。カム部材アセンブリ１１０は、第１カム通路１１２と、第２カム通路１１３と、第３カム通路１１４と（それらのカム通路は図３に破線で示されている）、停止位置１１５と、スリーブ１１６と、プッシングフィーチャ１１７と、フランジ１１８と、を有するカム部材１１１を有する。カム部材アセンブリ１１０は、例えば、射出成型により、一体成型部として任意に作られることが可能である。各々のカム通路の一端部は停止位置１１５である一方、３つのカム通路の他端部は、スロット１２２、１２３及び１２４のそれぞれである。ばね１３０は、給紙ローラシャフト３１９の端部の方に位置付けられ、カム部材アセンブリ１１０のフランジ１１８に隣接している。フランジ１１８は、任意に、内側凹部を有し、その内部には、ばね１３０の一端部が保持される。ばね１３０の他端部は、プリンタ筐体３００の右側３０６の壁に対して位置付けられている。
【００１９】
カム部材１１０の他の側においては、セレクタピンアセンブリ１４０が備えられている。一体成型部として任意に作られる（例えば、射出成型により）ことが可能であるセレクタピンアセンブリ１４０は、摩擦マウントスリーブ１４４から外側径方向に延びているセレクタピン１４２と、摩擦マウントスリーブ１４４から外側にも延びているアーム１４６とを有する。カム部材１１１は、摩擦マウントスリーブ１４４において片持ち支持され、セレクタピン１４２はカム部材１１１の開口領域内に受け入れられ、その開口領域を通って延びていて、それについては図４により明確に示されている。セレクタピン１４２は、スロット１２２、１２３及び１２４の各々に及び停止位置１１５に適合するようにサイズ決めされている。
【００２０】
また、図４に示しているように、スロット１４８は摩擦マウントスリーブ１４４に存在し、一種のクランチ機構として機能する。給紙ローラシャフト３１９摩擦マウントスリーブ１４４がうまく嵌ることにより、給紙ローラシャフト３１９が回転するときに摩擦マウントスリーブ１４４は回転するように十分にぴったりしているが、摩擦マウントスリーブ１４４が給紙ローラシャフト３１９に対して独立して回転されることが可能であるように十分にゆるくなっている。カム部材アセンブリ１１０のスリーブ１１６への嵌め込みは十分にゆるいものであり、又はカム部材アセンブリ１１０は制限付きで任意に回転可能であり、従って、カム部材アセンブリ１１０は、給紙ローラシャフト３１９が回転するときに著しく回転しない。摩擦マウントスリーブ１４４が給紙ローラシャフト３１９に沿って制限付きで並進移動可能であり、従って、そのシャフトに沿って著しく前後に移動されない。カム部材アセンブリ１１０は、給紙ローラシャフト３１９に沿って自由に前後に移動することが可能であるが、ばね１３０によりセレクタピンアセンブリ１４０の方に付勢される。
【００２１】
次に、セレクタアセンブリ１１０の動作について説明する。ばね１３０は、セレクタピンアセンブリ１４０の方にカムアセンブリ１１０を押圧する傾向を有し、それ故、セレクタピン１４２は通常、３つのスロット１２２、１２３又は１２４の一に位置付けられる。しかしながら、キャリッジ２００が、この実施例においてプリンタ筐体３００の右側（紙面における）３０６の方に十分に移動される場合、キャリッジ２００のフィーチャ（図示せず）は、カムアセンブリ１１０が右側の方に移動して、ばね１３０を圧縮するようにして、プッシングフィーチャ１１７に当たる。このことが起こるとき、セレクタピン１４２は、セレクタピンが入っているスロット（１２２、１２３又は１２４のそれぞれ）から停止位置１１５へのカム通路１１２、１１３又は１１４に沿ってカム部材１１１に関連して移動する。そのピンが中央のスロット１２２にある場合、セレクタピンアセンブリ１４０の回転は、この動作中には起こらない。しかしながら、そのピンがスロット１２３又は１２４のどちらかにある場合、カム部材１１１の外側のカム表面は、セレクタピンアセンブリ１４０（アーム１４６を含む）が給紙ロータシャフト３１９に関連して回転するようにする。キャリッジ２００が、この実施例において紙面左側の方に移動される場合、ばね１３０は、セレクタピン１４２がカム通路１１２、１１３又は１１４の一に沿って移動し、特定の経路は、キャリッジ２００が左側の方に移動するときに給紙ローラ３１２が回転されるかどうかに依存するように、ばね１３０は、セレクタピンアセンブリ１４０の方にカムアセンブリ１１０を押圧する。給電ローラ３１２が回転されない場合、セレクタピン１４２は、スロット１２２の経路１１２に沿って給電ローラシャフト３１９の軸に対して平行に移動する。媒体進行モータが順回転方向３１３に給紙ローラ３１２を回転させる場合、摩擦マウントスリーブ１４４は、セレクタピンアセンブリ１４０が順回転方向３１３に回転するようにする一方、カムアセンブリ１１０は回転せず、それ故、セレクタピン１４２はスロット１２４の方にカム通路１１４に沿って移動する。媒体進行モータが逆方向に給紙ロータ３１２を回転させる場合、摩擦マウントスリーブ１４４は、セレクタピンアセンブリ１４０が逆方向に回転するようにする一方、カムアセンブリ１１０は回転せず、それ故、セレクタピン１４２がカム通路１１３に沿ってスロット１２３の方に移動する。セレクタピン１４２がどのスロットに保持されていようが、セレクタピンが停止位置１１５においてその位置に移動されるように、キャリッジ２００が後のいつか戻るように移動され、プッシングフィーチャ１１７を押圧するまで、セレクタピンは移動され、次いで、必要に応じて、異なるスロットの方に移動されることが可能である。異なるスロットには、異なるカム通路に従って、セレクタピン１４２により中間位置から到達することが可能である。本実施例においては、中間位置は停止位置１１５により規定され、その停止位置を越えて、セレクタピン１４２は移動することができず、他の実施形態においては、中間位置が、停止位置にある必要はない。
【００２２】
セレクタピンアセンブリ１４０は回転され、スロット１２２、１２３又は１２４に対応する異なる位置に保持されるため、アーム１４６は相応して回転する。本発明のセレクタピンアセンブリ１００が可能にする種々の有効なギア連結／連結外しの可能性がある。本発明の一実施形態においては、アーム１４６は、給紙ローラシャフト３１９の周囲の回転位置に依存して、媒体供給モータからの動力伝達を選択的に可能にする又は不可能にする、異なるギア又はギアアセンブリと相互作用する。例えば、一回転位置においては、アーム１４６の表面は、回転ギアアセンブリは他のギアアセンブリと連結して回転しないようにする一方、アーム１４６の他の回転位置においては、回転ギアアセンブリは、給紙ローラシャフト３１９の回転方向に依存して、自由に回転して第１ギア又は第２ギアと連結することができる。他の実施形態においては、一回転位置で、アームは他のギアと連結していないギアを押圧することが可能である一方、他の回転位置においては、アーム１４６（同じアーム、異なるアーム又は同じアームの異なる表面）は、給紙ローラシャフトの回転方向に拘わらず、他のギアと連結しているギアを押圧することが可能である。他の実施形態においては、媒体進行モータにより駆動されるギアがアーム１４６において備えられ、他のギアと連結して又は連結せずに回転されることが可能である。
【００２３】
一旦、キャリッジ２００が、本発明における動力伝達連結の変更を可能にすると、キャリッジは、セレクタアセンブリ１００から離れて自由に移動することができる。これは、プリントについての異なる動作モードが本発明のセレクタピンアセンブリ１００により選択的に可能にすることを意味する。更に、この実施形態においては、２つではなく、３つの別個の動力伝達連結が可能である（スロット１２２，１２３又は１２４の何れかにあるセレクタピンに対応して）。他の実施形態においては、カム通路の４つ以上のブランチを有するカム部材１１１をデザインすることにより、更に個別に選択可能な動力伝達連結が存在する。実際にはまた、それ故、アーム１４６が、セレクタピンがスロット１２２にあるときに比べて、セレクタピン１４２が停止位置にあるときに異なるギアの連結を可能にするように、給紙ローラシャフト３１９に沿ったセレクタピンアセンブリ１４０の並進運動を有することが可能である。そのような実施形態においては、４つの異なる動力伝達連結が、図３及び４に示しているセレクタアセンブリ１００により可能になる。
【００２４】
種々のプリンタ機能が、セレクタアセンブリ１００を用いて選択的に可能になる。本発明の一実施形態においては、ピック機能がスロット１２４におけるセレクタピン１４２により可能になり、プリント機能がスロット１２２における選択ピン１４２により可能になり、フォトトレイ移動機能がスロット１２３におけるセレクタピン１４２により可能になる。ピック機能順方向モードにおいては、媒体進行モータからの動力は、図２において模式的に示されている４つのローラ全て、即ち、ピックローラ３２０、ターンローラ３２２、給紙ローラ３１２及び排紙ローラ３２４に伝達され、それらが順方向３１３に回転するようにする。従って、４つのローラが順方向３１３に回転するようにモータが回転するとき、ピックローラ３２０は、ターンローラ３２２の方に最上部シート３７１を進め、ターンローラ３２２は給紙ローラ３１２の方にシートを進め、給紙ローラは排紙ローラ３２４の方にシートを進める。
【００２５】
ピック機能は、スロット１２２におけるセレクタピン１４２と、逆方向に回転している媒体進行モータにより可能になるデスキューモードを称される第２モードを有する。デスキューモードは、４インチｘ６インチのフォト用紙における写真のプリント等の特定の種類のジョブのために有用である。デスキューモードにおけるローラの動きについて、図５に示している。図１を参照するに、孔３１０を通って延びている媒体進行モータからのギアは常に給紙ローラギア３１１及び排紙ローラギア（図示せず）と連結される。従って、モータが逆方向に回転するとき、給紙ローラ３１２及び排紙ローラ３２４の両方は逆方向（３１３とは反対）に回転する。しかしながら、本発明の実施形態においては、ピックローラ３２０及びターンローラ３２２は各々、回転ギアアセンブリを介して動力伝達に接続され、それ故、モータが逆方向に回転する場合でさえ、ピックローラ３２０及びターンローラ３２２は順方向３１３に移動し続ける。従って、デスキューモードにおいては、ピックローラ３２０及びターンローラ３２２は、給紙ローラ３１２の方に用紙を進行させるが、給紙ローラ３１２は逆方向に回転し、用紙が順方向に移動しないようにする。用紙の先端が給紙ローラ３１２と平行でない等で用紙が誤って方向付けされている場合、逆方向に回転している給紙ローラ３１２に当たる先端の第１部分は、先端の残りが用紙を動けなくする、即ち、紙をデスキューするまで減速される。デスキューが終了したとき、プッシングフィーチャ１１７が押され、セレクタピン１４２が停止位置１１５の方に移動するように、キャリッジ２００は再び紙面右の方に移動される。給紙ローラが静止している場合、キャリッジ２００は紙面左の方に移動し、それ故、セレクタピンは、プリント機能モードを可能にするように、スロット１２２の方に移動する。
【００２６】
プリント機能モードで、媒体進行モータからの動力は、ターンローラ３２２、給紙ローラ３１２及び排紙ローラ３２４を順方向に回転させるように伝達されるが、ピックローラ３２０に動力は伝達されない。従って、プリントモードにおいて、ピックローラが不能の場合、プリント媒体は、必要とされるまで、次のシートを進行させるピックローラ３２０なしでプリンタの中を進行し続ける。用紙進行のデスキューモードが用いられている場合、デスキューモードは逆方向に給紙ローラ３１２及び排紙ローラ３２４を動作させるため、前のシートが排紙されるまで、給紙ローラ３１２の方に進行されない。
【００２７】
しかしながら、上記のピック機能順方向モード（また、“共連れモード”とも称される）において、１つのシートは次のシートに即座に続くことが可能である。従って、デスキューが必要ないとき、高速プリントスループット共連れモードが用いられる。その共連れモードはスロット１２３に移動されたセレクタピンから開始し、用紙進行モータは順方向３１３に４つのローラ全てを回転させる。一旦、用紙がターンローラ３２２の方に進行されると、キャリッジ２００は右（紙面において）の方に移動され、カムアセンブリ１１０を押し、それ故、停止位置１１５の方にセレクタピン１４２を移動させる。キャリッジの移動中（例えば、スワスのプリント中）、給紙ローラ３１２は停止される。給紙ローラ３１２は、キャリッジが左（紙面において）の方に戻るように移動するときに、停止されたままに保たれる場合、セレクタピン１４２は、プリント位置のスロット１２２に戻るように開放される。次のシートを取り上げることが所望されるとき、キャリッジ２００は、右（紙面において）の方に移動し、カムアセンブリ１１０を押し、給紙ローラ３１２が前方に移動している間に、そのカムアセンブリを開放し、それ故、セレクタピン１４２は、次のシートを取り上げるためのピックフォワードモードを可能にするようにスロット１２４に移動する。この共連れシーケンスにおいては、給紙ローラ３１２を後方に移動させることは決して必要ないため、プリント中の何れかの時点でピッキング動作がアクティブにされる又は非アクティブにされることが可能である。そのようにして、シートは、前のシートの直後に取り上げられ、それら２つのシート間に隙間はない。セレクタアセンブリ１００をアクティブにすることによるスイッチングモードのタイミングは、媒体のシートの長さに依存して調整されることが可能である。
【００２８】
任意に選択されることが可能である第３機能は、例えば、セレクタピン１４２がスロット１２３において位置付けられるときの、フォトトレイ移動である。一実施形態においては、この位置で、セレクタピンアセンブリ１４０のアーム１４６は、図６及び７に示すように、モータの回転方向に依存して、ギアが前後にフォト用紙トレイを移動させることが可能であるラック（図示せず）と連結するようにする。両方の図においては、主用紙トレイ３７２に用紙のスタック３７０が存在し、フォト用紙トレイ３７４にフォト用紙のスタック３７３が存在する。用紙のスタック３７０におけるシートは、用紙のスタック３７３におけるシート（例えば、４インチｘ６インチ）に比べて、より大きいサイズ（例えば、８．５インチｘ１１インチ）を有し、フォト用紙トレイ３７４は主用紙トレイ３７２ほど長くない。図６においては、フォト用紙トレイ３７４は、例えば、ギア及びラックがそのトレイを順方向に移動するようにするように、第１方向に用紙進行モータを回転させることにより、順方向の位置に移動される。この位置において、ピックローラ３２０は、主トレイ３７２の用紙スタック３７０における最上部シートと接することができる。また、フォト用紙トレイの順方向位置において、追加のフォト用紙３７３が積載されることが可能である。図７においては、例えば、第１方向と反対方向の第２方向に用紙進行モータを回転させることにより、フォトトレイ３７４が、プリント位置に向かう方向に沿って移動される。フォト用紙トレイ３７４のプリント位置において、ピックアップローラ３２０は、フォト用紙スタック３７３における最上部シートと接触することができる。一部の実施形態においては、どのトレイが下にあろうと、そのトレイの最上部シートの上に載るように、上下に動かされることができる回転可能ピックアームにピックアップローラが備えられる。
【００２９】
上記の実施形態においては、特定の複数の機能の群がセレクタアセンブリ１００により可能になる一方、種々の他の機能が他の実施形態において可能になる。それらは、キャッピング、ワイピング又はポンピングのメンテナンス機能等の動きを必要とする他の機能を有する。
【００３０】
セレクタアセンブリ１００は、同軸的に設置されるカムアセンブリ１１０、ばね１３０及びセクタピンアセンブリ１４０以外の他の様式で作られることが可能である。セクタアセンブリの第２実施形態について、図８に示している。この第２実施形態においては、カムアセンブリ１１０の機能及びばね１３０の機能は、板ばねカムアセンブリ１５０として共に一体化されている。板ばねカムアセンブリ１５０は、例えば、金属又はプラスチックから成る、曲がった薄いストリップを有し、スロット１５２、１５３及び１５４を有するカム部材部１５１並びに停止位置１５５と、押圧部１５７と、孔１５９を有する取り付け部１５８と、を有する。板ばねカムアセンブリ１５０は、カムアセンブリ１１０については多くは上記と同様に動作し、カム部材部１５１は、カム部材１１１における機能と類似するカム通路を有する。上記のセレクタピンアセンブリと同様の又は類似するデザインのセレクタピンアセンブリ１４０は、板ばねカムアセンブリ１５０と連携して動作する。給紙ローラシャフト３１９は、取り付け部１５８における貫通孔１５９を通る。カム部材部１５１は、セレクタピン１４２が開いているスロット領域内に取り込まれるように、セレクタピンアセンブリ１４０上に片持ち支持されている。取り付け部１５８は、給紙ローラシャフト３１９において並進移動するように強制され、それ故、その通常位置において、セレクタピン１４２がスロット１５２、１５３又は１５４の一に位置付けられるように、カム部材部１５１は位置付けられている。それらのスロットの一からピンを開放するように、キャリッジ２００は押圧部１５７を押圧し、板ばねカムアセンブリが曲がるようにし、セレクタピン１４２における停止位置１５５に位置する方向にある給紙ローラシャフト３１９の軸に対して平行にカム部材部１５１が移動するようにする。キャリッジ２００が移行したとき、板ばねカムアセンブリ１５０の復元力は、それが通常の構成であることを前提とし、キャリッジ２００が押圧部１５７を開放したときに給紙ローラ３１２が回転するかどうかに及び給紙ローラ３１２が回転するどの方法かに依存して、セレクタピン１４２はスロット１５２、１５３又は１５４に位置付けられる。
【図１】
2011509196.tif 000003
【図２】
2011509196.tif 000004
【図３】
2011509196.tif 000005
【図４】
2011509196.tif 000006
【図５】
2011509196.tif 000007
【図６】
2011509196.tif 000008
【図７】
2011509196.tif 000009
【図８】
2011509196.tif 000010
【国際調査報告】
2011509196.tif 000011
2011509196.tif 000012